(57)【特許請求の範囲】
【請求項１】
浴槽に接続された浴槽水循環路と、
温水を循環させる温水循環路と、
前記温水循環路に流れる温水を前記浴槽水循環路に流す注湯管路に設置された電磁弁と、
前記浴槽水循環路に循環する前記浴槽水に前記温水の熱を熱交換する熱交換手段と、
前記温水を循環させる前記温水循環路に設置されて該温水循環路に前記温水を循環させる循環ポンプと、
前記循環ポンプを駆動するモータに流れる電流が基準値未満である場合、前記電磁弁を開いて前記温水循環路に給水することにより前記注湯管路の前記温水を前記浴槽水循環路に流し込み、該給水中に前記循環ポンプの動作を所定時間だけ断続させる制御部と、
を備えることを特徴とする給湯装置。
【請求項２】
さらに、前記注湯管路により前記温水循環路から前記浴槽水循環路に対する注湯量を検出する注湯量検出手段と、
を備え、前記制御部は、前記循環ポンプの断続動作を前記注湯量検出手段の前記注湯量の検出開始から前記注湯量が所定量に到達するまで行うことを特徴とする請求項１に記載の給湯装置。
【請求項３】
前記制御部は、前記温水循環路のエアパージの終了を監視し、該エアパージで前記循環ポンプの断続動作を行っている場合には、該断続動作を行わないことを特徴とする請求項１または請求項２に記載の給湯装置。
【請求項４】
前記制御部は、前記循環ポンプの断続動作の後、前記電流が基準値未満であれば、所定量の給水を行い、前記電流が基準値以上であれば、バーナ燃焼を開始して前記熱交換手段を加熱することを特徴とする請求項１ないし請求項３に記載の給湯装置。
【請求項５】
前記制御部は、前記循環ポンプの断続動作の後、前記給水の回数を計数し、該給水回数が所定回を超えた場合にアラームを出力することを特徴とする請求項１ないし請求項４に記載の給湯装置。
【請求項６】
前記温水循環路に高温水を定期的に流し込むことを特徴とする請求項１ないし請求項５に記載の給湯装置。
【発明の詳細な説明】
【技術分野】
【０００１】
本発明は、浴槽水の温水による追焚き機能を備える給湯装置に関し、例えば、給湯路側に温水の循環路及び循環ポンプを備える給湯装置に関する。
【背景技術】
【０００２】
給湯装置は飲用給湯、浴槽給湯に加え、浴槽水の追焚き加熱や、温水暖房等に供され、多機能化が図られている。
【０００３】
この給湯装置に関し、給湯用熱交換器と潜熱回収用熱交換器で１つの加熱経路を形成し、加熱経路の循環水の熱を風呂回路に供給することにより、給湯用熱交換器や潜熱回収用熱交換器に関連しない利用側熱交換器が構成されることが知られている（特許文献１）。
【０００４】
また、温水暖房では、温水を循環させる循環回路に循環ポンプが設置されている。この暖房水の循環ポンプでは、暖房運転時、モータ駆動電流をポンプ電流検知回路で検知し、その電流値が上限値を越える場合には、過負荷運転又はモータロック状態と判断して暖房運転を停止し、下限値未満の場合には空運転状態と判断して暖房運転を停止することが知られている（特許文献２）。
【先行技術文献】
【特許文献】
【０００５】
【特許文献１】特開２００６−０５７９８４公報
【特許文献２】特開２００６−３２９４６０公報
【発明の開示】
【発明が解決しようとする課題】
【０００６】
ところで、加熱経路の循環水を利用して熱量を供給する風呂回路（特許文献１）では、浴槽水の追焚が行われない場合に管路内に循環水が滞留することになる。また、暖房用の循環路では、循環ポンプに異常があれば運転を停止させている（特許文献２）が、モータ駆動電流を正常値に移行させるにはメンテナンスが必要である。
【０００７】
そこで、本発明の目的は、浴槽水の追焚きに温水を用いることにより、装置のコンパクト化とともに、追焚き動作の信頼性を高めた給湯装置を提供することにある。
【課題を解決するための手段】
【０００８】
上記課題を解決した本発明の給湯装置は、浴槽に接続された浴槽水循環路と、温水を循環させる温水循環路と、前記温水循環路に流れる温水を前記浴槽水循環路に流す注湯管路に設置された電磁弁と、前記浴槽水循環路に循環する前記浴槽水に前記温水の熱を熱交換する熱交換手段と、前記温水を循環させる前記温水循環路に設置されて該温水循環路に前記温水を循環させる循環ポンプと、前記循環ポンプを駆動するモータに流れる電流が基準値未満である場合、前記電磁弁を開いて前記温水循環路に給水することにより前記注湯管路の前記温水を前記浴槽水循環路に流し込み、該給水中に前記循環ポンプの動作を所定時間だけ断続させる制御部とを備えている。
【０００９】
この給湯装置では、前記注湯管路により前記温水循環路から前記浴槽水循環路に対する注湯量を検出する注湯量検出手段とを備え、前記制御部は、前記循環ポンプの断続動作を前記注湯量検出手段の前記注湯量の検出開始から前記注湯量が所定量に到達するまで行う構成としてもよい。
この給湯装置では、前記制御部は、前記温水循環路のエアパージの終了を監視し、該エアパージで前記循環ポンプの断続動作を行っている場合には、該断続動作を行わない構成としてもよい。
この給湯装置では、前記制御部は、前記循環ポンプの断続動作の後、前記電流が基準値未満であれば、所定量の給水を行い、前記電流が基準値以上であれば、バーナ燃焼を開始して前記熱交換手段を加熱する構成としてもよい。
この給湯装置では、前記制御部は、前記循環ポンプの断続動作の後、前記給水の回数を計数し、該給水回数が所定回を超えた場合にアラームを出力する構成としてもよい。
また、この給湯装置では、前記温水循環路に高温水を定期的に流し込む構成としてもよい。
【発明の効果】
【００１０】
本発明によれば、次のような効果が得られる。
【００１１】
(1) 温水の熱で浴槽水を加熱（追焚き）できるので、熱交換手段を小型化でき、給湯装置のコンパクト化を図ることができる。
【００１２】
(2) 温水の循環路に侵入したエア（空気）を除去でき、残留空気による不具合を防止できる。
【００１３】
(3) 循環路の残留水を除去でき、循環路を清浄に維持することができる。
【００１４】
(4) 循環路の循環ポンプの空運転時間を短縮でき、循環ポンプの耐久性を向上させることができる。
【図面の簡単な説明】
【００１５】
【図１】第１の実施の形態に係る風呂給湯装置の一例を示す図である。
【図２】制御装置の構成例を示す図である。
【図３】自動運転時のエア抜き動作を示すフローチャートである。
【図４】追焚運転を示すフローチャートである。
【図５】追焚運転初回時のエア抜き動作のフローチャートである。
【図６】追焚運転初回時のエア抜き動作のフローチャートである。
【図７】追焚運転二回目以降のエア抜き動作のフローチャートである。
【図８】通常使用時のエア抜きのフローチャートである。
【図９】第２の実施の形態に係る風呂給湯装置の内部構造の一例を示し、（Ａ）は正面側から見た内部構造を示す図、（Ｂ）は側面側から見た内部構造を示す図である。
【図１０】第３の実施の形態に係る風呂給湯装置の設置例を示す図である。
【発明を実施するための形態】
【００１６】
〔第１の実施の形態〕
【００１７】
第１の実施の形態について、図１を参照する。図１は風呂給湯装置の一例を示している。
【００１８】
この風呂給湯装置２は、本発明の給湯装置の一例であって、図１に示すように、給湯機能部３と、注湯機能部４と、給湯循環路５と、浴槽水追焚機能部６と、ドレン回収排出機能部８とを備えている。
【００１９】
給湯機能部３は、上水Ｗに燃焼排気１０の熱を熱交換して温水ＨＷを出湯する機能部である。給湯管路１２にあるシャワー等で給湯栓が開放されると、給水管路１６に上水Ｗが流れ込む。給水管路１６に流れ込んだ上水Ｗは、入水温センサ１７によって給水温度、流量センサ２０によって給水流量が検出される。これら検出情報は、制御装置８２に伝送され、複数のバーナ２２に着火される。バーナ２２は燃料ガスＧを燃焼し、燃焼室２４に燃焼排気１０を生じさせる。この燃焼排気１０は、バーナ２２側を上流とし、給気ファン１４の給気とともに、燃焼室２４の上方に流れて排気される。
【００２０】
上水Ｗは、潜熱用熱交換器２８を通して顕熱用熱交換器３０に流れ、燃焼排気１０の熱と熱交換される。潜熱用熱交換器２８は燃焼排気１０の潜熱を上水Ｗに熱交換し、顕熱用熱交換器３０は燃焼排気１０の顕熱を上水Ｗに熱交換する手段である。顕熱用熱交換器３０の出側の温水ＨＷは、顕熱用熱交換器３０の出側にある出湯温センサ１８によって検出される。この検出温度が目標温度より高い場合には、給水管路１６と給湯管路１２との間に設置されたバイパス回路にあるバイパス水制御弁３２が開かれ、上水Ｗと温水ＨＷとを混合させ、この出湯温水ＨＷの温度を目標温度に制御する。この出湯温水ＨＷの温度は、給湯管路１２にある温度センサ３６によって検出される。出湯温水ＨＷは、シャワー水等に供される。
【００２１】
水制御弁３４の開度は、温度センサ３６の検出温度を参照して制御装置８２によって決定される。これにより、温度センサ３６の検出温度が目標温度に到達するに必要な量の上水Ｗが給湯管路１２に供給される。
【００２２】
また、バーナ２２では、ガス供給管３８にある元ガス電磁弁４０が開であることを条件に、給湯ガス電磁弁４２、４４、４６の開閉によってバーナ２２の切替えが行われ、ガス比例弁４８の開度に応じて燃料ガスＧの供給量、即ち、燃焼量が制御される。
【００２３】
注湯機能部４は、既述の給湯機能部３の給湯機能を包含し、給湯機能の熱交換で得られる温水ＨＷを浴槽５０に注湯する機能部であって、給湯管路１２と追焚管路５２とを接続する注湯管路５４を通じて実現される。注湯管路５４にある注湯電磁弁６４が開かれると、給湯管路１２に流れる温水ＨＷが注湯管路５４を通して追焚管路５２に流れ込み、この追焚管路５２を通して浴槽５０に注湯される。この注湯量は、注湯量センサ５８によって検出される。注湯管路５４には逆止弁６０が設置され、浴槽水ＢＷが上水Ｗ側に流れ込むのを防止している。
【００２４】
給湯循環路５は、既述の給湯機能部３の給湯機能を包含し、給湯管路１２にある顕熱用熱交換器３０の下流側で分岐され、循環ポンプ６２（ＤＣモータ・非自吸タイプ）、風呂熱交換器５６を経て、潜熱回収熱交換器２８の上流側である給水管路１６に合流する回路である。この給湯循環路５は、浴槽水ＢＷを加熱するための熱媒である高温水ＨＨＷを循環させるための循環路の一例である。
【００２５】
循環ポンプ６２は、駆動源に直流（ＤＣ）モータを用いた非自吸タイプで構成される。給湯循環路５は、後述の浴槽水ＢＷを加熱する風呂熱交換器５６に給湯機能部３で加熱された高温水ＨＨＷを供給するための回路である。この高温水ＨＨＷの温度制御は、給水管路１６にある給水温センサ２６と給湯管路１２にある出湯温センサ１８によって行われる。
【００２６】
浴槽水追焚機能部６は、浴槽水ＢＷを既述の高温水ＨＨＷが流れる風呂熱交換器５６で熱交換し、追焚きする機能部である。制御装置８２に浴槽水ＢＷの追焚を指示すると、風呂ポンプ６８が駆動される。風呂ポンプ６８の駆動により浴槽水ＢＷが浴槽５０から追焚管路５２に流れ、追焚用熱交換器６６に循環する。浴槽水ＢＷの流れが水流スイッチ７０で検出され、その浴槽水ＢＷの温度は風呂センサ７２によって検出される。なお、水流スイッチ７０が浴槽水ＢＷを検出しない場合には、残り湯が無いと判断し、注湯動作に移行させる。
【００２７】
これら検出情報が制御装置８２に伝送されることにより循環ポンプ６２が駆動し、給湯機能部３が動作を開始する。給水管路１６にある給水温センサ２６と給湯管路１２にある出湯温センサ１８の温度を検知して燃焼制御が始まる。給湯機能部３で加熱された高温水ＨＨＷは、給湯循環路５を通り、風呂熱交換器５６に供給される。一方、浴槽水ＢＷは、風呂ポンプ６８により循環を行い、追焚用熱交換器６６で熱交換され、その浴槽水ＢＷの温度は、浴槽５０側の追焚管路５２にある風呂温度センサ７２によって検出され、その検出情報が制御装置８２に取り込まれ、異常加熱等が判断される。風呂温度センサ７２の検出温度が追焚目標温度に到達すれば、給湯循環路５の循環ポンプ６２、給湯機能部３のバーナ２２が停止し、風呂ポンプ６８を停止させて追焚きを完了する。
【００２８】
ドレン回収排出機能部８は、給湯又は注湯のために潜熱回収熱交換器２８で発生したドレン７４を、該熱交換器の下側に設置されたドレン受け７６で回収し、中和器７８に導き、そのオーバーフロー８０から器外に排出する機能部である。燃焼排気１０の潜熱を回収する潜熱回収熱交換器２８にあっては、その熱交換により、燃焼排気１０の水蒸気が凝縮し、強酸性のドレン７４を生じる。
【００２９】
次に、制御装置８２について、図２を参照する。図２は制御装置の一例を示している。この制御装置８２は、コンピュータによって構成されており、制御部８３を備える。制御部８３には、ＣＰＵ（Central Processing Unit ）８４  、記憶部８５としてＲＯＭ（Read-Only Memory）８６、ＲＡＭ（Random-Access Memory）８８、タイマ９０等を備える。ＣＰＵ８４はＲＯＭ８６にある制御プログラムを実行し、検出温度等を制御情報に用いてその演算等の処理により、制御出力を発生する。ＲＡＭ８８はプログラムの実行エリアを構成する。タイマ９０は計時手段の一例であって、時間制御のための時間情報を生成する。
【００３０】
制御部８３には、出湯温センサ１８、水流スイッチ７０、他のセンサ類９１（入水温センサ１７等）、注湯電磁弁６４、循環ポンプ６２、風呂ポンプ６８、その他の機能部９３（バイパス水制御弁３２等）が接続されている。循環ポンプ６２には、モータ電流検出部６３が備えられ、検出されたモータ電流が制御部８３に加えられている。このモータ電流検出部６３に代え、駆動パルスの検出手段を備え、検出パルスを制御部８３に取り込む構成でもよい。
【００３１】
この制御装置８２には、浴室リモコン装置９４、台所リモコン装置９５が有線又は無線により接続されている。これらリモコン装置９４、９５はユーザの操作装置であって、それぞれに制御部９６と、操作部９８と、他の表示部１００と、音声報知部１０１とを備え、ユーザの生活エリアに設置される。操作部９８には、追焚きスイッチ９９を備える。
【００３２】
制御部９６は、操作部９８からの操作入力を受け、その操作入力に基づく制御情報を制御装置８２に通知する。操作部９８はキーボードやタッチセンサ等で構成される。制御部９６はコンピュータによって構成されており、ＣＰＵ１０２、ＲＯＭ１０４、ＲＡＭ１０６等（図示なし）を備える。ＣＰＵ１０２はＲＯＭ１０４にある制御プログラムを実行し・制御出力を発生する。ＲＡＭ１０６はプログラムの実行エリアを構成する。この制御部９６は制御装置８２と連係し、制御装置８２に対する制御命令を出力し、制御装置８２からの出力情報を受け、制御状態等を表す提示出力を他の表示部１００に提供する。
【００３３】
表示部１００は制御部９６の表示制御に基づき、制御部９６から提供される提示出力に基づく視認可能な表示を行う。この場合、表示部１００又は音声報知部１０１の何れか一方又は双方は、アラーム発生手段を構成する。
【００３４】
次に、自動運転時のエア抜き動作について、図３及び図４を参照する。図３は自動運転時のエア抜き動作の処理手順の一例を示し、図４は追焚運転の処理手順の一例を示している。
【００３５】
エア抜きは、給湯循環路５の管路の水抜き（試運転終了後や凍結予防操作）を行った場合や燃焼による空気の分離により、管路内に空気が溜まるので、この空気による循環ポンプ６２の循環能力の低下防止のために実行する。このエア抜きは、人為的な操作を要することなく、リモコン装置９４の操作（自動、ぬるく）を契機として、この操作後に自動的に開始される。
【００３６】
そこで、この処理手順では、図３に示すように、施工終了後、『電源投入一回目動作』を実行する。リモコン装置９４の操作部９８の自動スイッチを押すとバイパス水制御弁３２が「全閉」となる（ステップＳ１１、Ｓ１２）。
【００３７】
(1) 注湯動作及びエア抜き動作
【００３８】
注湯電磁弁６４が「開」になると（ステップＳ１３）、注湯量センサ５８がＯＮになり（ステップＳ１４）、上水が追焚往口、戻口を通って浴槽５０へ注湯される。同時に、循環ポンプ６２が回転し、給湯循環路５は上水Ｗで満たされる。このとき、確実にエア抜きを行う為、循環ポンプ６２の動作を断続させ、例えば、ＯＮ／ＯＦＦを５回繰り返し行う（ステップＳ１５）。この場合、循環ポンプ６２のＯＮ時間は一定時間例えば、７秒間、そのＯＦＦ時間は一定時間例えば、５秒間とする。この断続運転は一定時間例えば、１分間とすればよい。所定量の注湯として例えば、１０〔リットル〕の注湯が完了すると（ステップＳ１６）、注湯電磁弁６４を閉じてエア抜きを完了する（ステップＳ１７）。つまり、給湯循環路５に溜まっていたエアは、給湯管路１２、注湯管路５４、追焚管路５２を経て浴槽５０に排出される。このとき、省エネのため、燃焼は行われない。
【００３９】
その他、この処理手順では、注湯電磁弁６４の閉（ステップＳ１９）、流量センサ２０がＯＦＦかの判断（ステップＳ２０）、流量センサ２０のＯＦＦが連続所定回として例えば、２回以下であるかの判定（ステップＳ２１）を行い、２回以下でない場合のアラーム発生（ステップＳ２２）、流量センサ２０のＯＦＦが連続２回以下であれば、注湯電磁弁６４を開（ステップＳ２３）とする処理を実行する。アラームは、音声報知部１０１で発生させる。
【００４０】
また、風呂ポンプ６８をＯＮにした後、水流スイッチ（ＳＷ）７０がＯＦＦか否かの判断（ステップＳ１８）の後、風呂ポンプＯＦＦ（ステップＳ２４）、再び、注湯電磁弁６４を「開」にし（ステップＳ２５）、〔給湯運転〕を行い（ステップＳ２６）、設定量まで注湯を行う（ステップＳ２７）。設定量に達したならば（ステップＳ２7 のＹＥＳ）、注湯電磁弁６４を「閉」にし（ステップＳ２８）、追焚運転（図４）（ステップＳ２９）を行ない、設定温度以上かの判断（ステップＳ３０）、自動完了報知（ステップＳ３１）、自動ランプ表示（ステップＳ３２）の処理を実行する。
【００４１】
(2) 追焚動作（自動運転中）
【００４２】
この追焚運転において、給湯循環路５内のエア抜きが完全に行われていることを確認する（ステップＳ４１〜Ｓ５１）。まず、風呂ポンプ６８、循環ポンプ６２を駆動し、循環ポンプ６２に流れる電流値を測定する。この電流値とエア抜き判定用の閾値を比較し、電流値が閾値以下の場合、循環ポンプ呼び水を行う。また、閾値以上の場合は、エアーが混入していないと判断し、給気ファン１４、イグナイタ、元ガス電磁弁４０、給湯ガス電磁弁４２、４４、４６、ガス比例弁４８をオンさせて、燃焼を行う（ステップＳ５２〜Ｓ５５）。また、風呂燃焼表示時を点灯させるとともに、一定時間として例えば、３〔秒〕後にイグナイタをＯＦＦする（ステップＳ５６、ステップＳ５７）。その後比例制御を行う（ステップＳ５８）。電流値の閾値は、例えば、循環ポンプ６２の正常動作中の電流値のサンプルを取り、平均値として例えば、１３０〔ｍＡ〕と決めておけばよい。
【００４３】
『電源投入二回目以降』の動作と『電源投入一回目動作』との違いは、『電源投入一回目動作』では既述の(1) 注湯動作及びエア抜き動作として循環ポンプ６２をＯＮ／ＯＦＦさせながら注湯動作を行ったが、二回目以降は、ステップＳ１５の循環ポンプ６２は動作させずに注湯運転（給湯運転）のみを行っていることである。
【００４４】
この追焚運転では、風呂ポンプのＯＮの後、循環ポンプ６２の回転判断（ステップＳ４１）、回転があれば（ステップＳ４１のＮＯ）所定時間後、例えば、２０〔秒〕後、音声報知部１０１からアラームを発生させ（ステップＳ４２）、循環ポンプ電流判断（ステップＳ４３）の後、電流があれば（ステップＳ４３のＮＯ）、所定時間後、例えば、２０〔秒〕の後にアラームを発生させる（ステップＳ４４）。循環ポンプのＯＮ（ステップＳ４５）の後、循環ポンプ６２の回転判断（ステップＳ４６）、回転がなければ（ステップＳ４６のＮＯ）、所定時間後、例えば、２０〔秒〕後にアラームを発生させる（ステップＳ４７）。
【００４５】
循環ポンプ６２が回転し、循環ポンプ６２のモータ電流が所定値として例えば、１３０〔ｍＡ〕以上でなければ（ステップＳ４８のＮＯ）、所定時間後例えば、２０〔秒〕後に循環ポンプ６２に呼び水の供給（ステップＳ４９）、その供給回数の判定として２回未満かの判定（ステップＳ５０）、２回以上であればアラーム発生の処理を実行する（ステップＳ５１）。
【００４６】
次に、追焚運転初回時のエア抜き動作について、図５及び図６を参照する。図５及び図６は、追焚運転初回時のエア抜き動作の処理手順の一例を示している。
【００４７】
この処理手順は、『電源投入一回目』であって、浴槽に予め湯張りが行われていたときに追焚する場合の手順である。
【００４８】
リモコン装置９４の操作部９８の追焚スイッチ９９を押すと、追焚きランプの点灯（ステップＳ６１）とともに、風呂ポンプ６８が駆動する（ステップＳ６２）。風呂ポンプ６８の駆動により浴槽水ＢＷが浴槽５０から追焚管路５２に流れ、風呂熱交換器５６を経て浴槽５０に戻る。この場合、既述の動作として、循環ポンプ６２の回転監視（ステップＳ６３）、異常の場合のアラーム発生（ステップＳ６４）、循環ポンプ６２のモータ電流の監視（ステップＳ６５）、異常の場合のアラーム発生（ステップＳ６６）が行われる。
【００４９】
(3) エア抜き確認動作
【００５０】
循環ポンプ６２を回転させ（ステップＳ６７）、過去エア抜き（エアパージ）が行われたか否かをチェックする（ステップＳ７０）。エア抜きとは、図３のステップＳ１５に例示する動作である。エア抜きが行われていない場合は、循環ポンプ６２の電流値が正常か否かを判断する電流値のチェックを行う（ステップＳ７１）。電流値が閾値以上である場合は、バーナ２２の燃焼を開始し、追焚が行われる（ステップＳ８１〜Ｓ８７）。
【００５１】
閾値以下の場合は、注湯電磁弁６４を開き（ステップＳ７３）、循環ポンプ６２をＯＮ／ＯＦＦさせ（ステップＳ７５）、エア抜きを行う。バイパス水制御弁３２を「全閉」（ステップＳ７２）、注湯電磁弁６４を「開」にすると（ステップＳ７３）、注湯量センサ５８がＯＮになり（ステップＳ７４）、上水が追焚往口、戻口を通って浴槽５０へ注湯される。このとき、燃焼は行わない。確実にエア抜きを行う為、循環ポンプ６２をＯＮ／ＯＦＦ５回繰り返し行う（ステップＳ７５）。その間に一定量の注湯として例えば、１０〔リットル〕の注湯を行う（ステップＳ７６）。循環ポンプのＯＮ時間は一定時間として例えば、７〔秒〕間、ＯＦＦ時間は一定時間として例えば、５〔秒〕間とし、このＯＮ−ＯＦＦを１分間繰り返し、一定量例えば、１０〔リットル〕の注湯を行う。
【００５２】
(4) モータ電流のチェック動作
【００５３】
再度、循環ポンプ６２の電流値が正常か否かを判断する電流値のチェックを行う（ステップＳ７７）。閾値以上ならばバーナ２２の燃焼を開始し、追焚を行う。また、閾値以下の場合は、再度注湯を行い循環ポンプ６２に呼び水を行い（ステップＳ８０）、閾値以上か否か再チェックを行う。閾値以上ならば、追焚を行い、閾値以下ならば（ステップＳ７７のＮＯ）、その回数を監視し（ステップＳ７８）、連続２回以上であれば（ステップＳ７８のＮＯ）、異常と判断し、アラームにする（ステップＳ７９）。
【００５４】
次に、追焚運転２回目のエア抜き運転動作について、図７を参照する。図７は、追焚き運転２回目のエア抜き動作の処理手順の一例を示している。
【００５５】
この処理手順（ステップＳ９１〜Ｓ１１０）は、電源投入二回目以降の処理であって、電源投入一回目との違いは、エアパージの上記処理(3) 、(4) を行なっていないことである。他のフローは、同じである。
【００５６】
次に、通常運転時の動作について、図８を参照する。図８は、通常運転時の動作の処理手順の一例を示している。
【００５７】
この処理手順（ステップＳ１１１〜Ｓ１２４）は、通常使用時のエア抜きの処理手順である。追焚の際に風呂熱交換器５６へ上水Ｗを加熱循環することにより給湯循環路５内で上水Ｗから空気が分離し、給湯循環路５や循環ポンプ６２に空気が溜まることがあるため、日毎で給湯使用時にエア抜きを行う。
【００５８】
前回のエア抜き動作（給湯循環）を記憶し、その後２４時間経過したことをタイマーでカウントして、エア抜き動作を行う。
【００５９】
前回のエア抜き動作から２４時間経過しているか（ステップＳ１１１）、燃焼停止してから１０分以上経過しているか（ステップＳ１１２）、給湯、自動、ぬるく動作を行なっているか（ステップＳ１１３）（流量センサ２０がＯＮしているか）を確認する。動作を行っているならば、エア抜き動作に移行する。動作していない場合は給湯動作を待つ。
【００６０】
循環ポンプ６２の回転の有無をモーターの回転パルス（ステップＳ１１４）及び電流値（ステップＳ１１７）によって検出する。次に循環ポンプ６２をＯＮさせ（ステップＳ１１９）、モーターの回転パルス等を検出して（ステップＳ１２０）、循環ポンプ６２が正常に動作しているか、確認を行う。
【００６１】
流量センサ２０にて５〔リットル〕以上給湯（エア抜き）したことを検出すると（ステップＳ１２２）、給湯動作チェックを行う（ステップＳ１２３）。給湯動作とは、給湯栓を使用しているのか、自動又はぬるく動作を行っているのかを判断することをいう。実際には、流量センサ２０と注湯量センサ５８との差が４〔リットル〕以上あるとき、給湯を使用していると判断する。つまり、同時使用されていることになる。そこで、給湯動作がＹＥＳのときは、給湯栓等が締められ、差が３〔リットル〕になるまで循環ポンプ６２は回転を続ける。また、給湯動作がＮＯの場合は、自動、ぬるくの動作が行われていてエア抜きが完了していると判断し、循環ポンプ６２を停止して（ステップＳ１２４）、エア抜きを終了する。
【００６２】
〔第２の実施の形態〕
【００６３】
第２の実施の形態について、図９を参照する。図９は、風呂給湯装置２の内部構造の一例を示し、（Ａ）は正面から見た内部構造を示し、（Ｂ）は側面から見た内部構造を示している。図９において、図１と同一部分には同一符号を付してある。
【００６４】
この風呂給湯装置２では、矩形の筐体２００を備え、その背面側に風呂熱交換器５６が配置されているとともに、前面側に排気孔部２０２が配置されている。
【００６５】
この風呂給湯装置２では、従前の燃焼排気を熱交換に用いる熱交換器から、温水の熱を浴槽水ＢＷに熱交換する風呂熱交換器５６に変更したので、風呂熱交換器５６のコンパクト化とともに、燃焼空気の排気路に風呂熱交換器５６を設置する必要がない。風呂熱交換器５６の配置位置の自由度が高くなっている。そのため、熱交換器２８、３０が筐体２００内の所望の位置に且つ余裕を持って配置されている。このため、筐体２００のコンパクト化が実現されている。
【００６６】
〔第３の実施の形態〕
【００６７】
第３の実施の形態について、図１０を参照する。図１０は、風呂給湯装置の設置例を示す図である。
【００６８】
この設置例では、図１０に示すように、浴室３００には浴槽５０が配置され、この場合、浴槽５０は浴室３００の壁部３０２の近傍に設置されている。浴室３００に隣接する位置に壁部３０２で仕切られた給湯装置設置室３０４が形成され、この給湯装置設置室３０４には壁部３０２に隣接して風呂給湯装置２が設置されている。風呂熱交換器５６が高温水ＨＨＷの熱を浴槽水ＢＷに熱交換する形態であることから、そのコンパクト化による風呂給湯装置２の小型化及びコンパクト化をもたらし、その設置面積や設置空間の狭小化に寄与している。
【００６９】
以上述べた第１、第２及び第３の実施の形態について、特徴事項や利点を列挙すれば、次の通りである。
【００７０】
(1) 温水の熱で浴槽水を加熱（追焚き）できるので、熱交換手段を小型化でき、給湯装置のコンパクト化を図ることができる。
【００７１】
(2) 温水の循環路に侵入したエア（空気）を除去でき、残留空気による不具合を防止できる。
【００７２】
(3) 循環路の残留水を除去でき、循環路を清浄に維持することができる。
【００７３】
(4) 循環路の循環ポンプの空運転時間を短縮でき、循環ポンプの耐久性を向上させることができる。
【００７４】
(5) 所定操作が行われると循環ポンプを駆動する直流モータの電流値を監視し、予め設定してある正常値の範囲の下限値未満となったときは、空運転であると判断し、エア抜き動作を行い正常な循環が行える。
【００７５】
(6) 従来の機器においては、給湯と追焚きの２つの直接加熱式熱交換器が必要であり、機器の高効率化を行なう際、部品点数が増加し、コンパクト化を妨げていたが、この風呂給湯装置２では、循環ポンプ６２による給湯循環回路を有することにより、追焚熱交換器がコンパクト化でき、給湯装置のコンパクト化を図ることができる。
【００７６】
(7) 循環ポンプによる高温水循環時や、機器の水抜き時におけるエアー噛み（エアー侵入）対策として循環ポンプの電流値にしきい値を設け、エアー抜きシーケンスを用い、エアーがみによる不具合に対応できる。
【００７７】
(8) 循環ポンプ動作中に、ポンプの電流値を検知する。循環回路内にエアーが発生すると、ポンプの電流値が低下する。その電流値に閾値を設定し、回路内のエアー抜き動作をおこなうことで、エアー噛みによる機器性能に及ぼす不具合因子を排除できる。
【００７８】
(9) 自動運転動作等の運転動作において、循環ポンプを動作させ、風呂回路に上水が循環するので、滞留水が発生しないため、清浄に維持することができる。
【００７９】
(10)  自動運転動作等を行うときに循環ポンプの空運転を検出するプリチェックを行い、空運転の際にはエア抜き動作を行うので、ポンプの循環動作を円滑に行える。
【００８０】
(11)  循環ポンプは、ＤＣモータで非自吸式のため、空運転チェックを行うことにより空運転時間が削減されるので、ポンプの耐久性が向上する。
【００８１】
(12)  初期の試運転後や凍結防止の為の水抜き後、自動的にポンプに呼び水が行われるので、人為的に水張りが不要になる等、利便性が高められる。
【００８２】
〔他の実施の形態〕
【００８３】
上記実施の形態では、アラーム発生を音声報知部１０１で実行させているが、これに限定されない。アラーム発生に表示部１００を用いてもよい。
【００８４】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【符号の説明】
【００８５】
２  風呂給湯装置
３  給湯機能部
４  注湯機能部
５  給湯循環路
６  浴槽水追焚機能部
１０  燃焼排気
１２  給湯管路
１４  給気ファン
１６  給水管路
１７  入水温センサ
１８  出湯温センサ
２０  流量センサ
２４  燃焼室
２６  給水温センサ
２８  潜熱用熱交換器
３０  顕熱回収熱交換器
【図１】
0005505628.tif 000002
【図２】
0005505628.tif 000003
【図３】
0005505628.tif 000004
【図４】
0005505628.tif 000005
【図５】
0005505628.tif 000006
【図６】
0005505628.tif 000007
【図７】
0005505628.tif 000008
【図８】
0005505628.tif 000009
【図９】
0005505628.tif 000010
【図１０】
0005505628.tif 000011